(57)【特許請求の範囲】
【請求項１】
テレビジョン、ラジオ等の放送内容について、あらかじめユーザーの好みを登録しておくためのユーザー情報登録手段と、
放送局において番組の編成が行われると、この編成された番組の中から、前記ユーザー情報登録手段に登録されている好みに基づいて該当する番組を選択し、この選択した番組情報をユーザーに提供する番組情報提供手段と、
前記番組情報提供手段から送られて来た番組情報の中から、ユーザーが自身のスケジュール及び好みに応じて番組を選択し、この選択した番組を項目又は日付順に整理して再度最終的なプライベート番組表を作成すると共に、この最終的なプライベート番組表に対して、更にユーザーは、スケジュールを入力することができるプライベート番組表作成手段と、
から成るプライベート番組表作成システム。
【発明の詳細な説明】
【０００１】
【発明の属する技術分野】
本発明は、テレビ、ラジオ等の放送番組の中から、ユーザー個人の好みに合った放送番組表を別途作成するプライベート放送番組表作成システムに関するものである。
【０００２】
【従来の技術】
テレビ、ラジオ等の放送番組は、あらかじめ放送局側において編成が終ると公表し、この公表された番組は新聞等を媒体としてユーザーに提供され、ユーザーはこの番組表の中から、自分の好みに応じて番組を選択するようになっている。このため、従来の番組表は、全放送予定のものが一日ごとに時間と共に表示されていて、これが一週間或いは１ヶ月単位となっていることから、自分の好みの番組を見付けるのに手間がかかったり、見落としてしまうこともある。
【０００３】
また、従来の放送番組表は、スペースに制約が多いため、出演者や内容等についての情報量が少なく、例えば好みの俳優が出演している映画が放送される場合でも、その俳優の名前が番組表に表記されていないと、気付かずに折角の映画放送を見落としてしまうこともある。
【０００４】
このような問題点を解消するものとして、パーソナル番組表を作成するシステムが公知（特開平１１−１６１６５３号）である。この公知のパーソナル番組表作成システムは、利用者の嗜好性に合致した番組が多数ある場合にも利用者が特に視聴を望む番組を効率よく認識できる番組表を表示するために、複数の番組のＥＰＧデータを蓄積するＥＰＧデータ蓄積手段と、利用者が入力する番組検索のためのキーワード、及び各キーワードに対する評価情報を、利用者を識別する情報に対応づけて蓄積する検索情報蓄積手段と、番組表の表示を要求する信号、及び利用者を識別する情報を受けて、当該利用者を識別する情報により特定される利用者が入力し上記検索情報蓄積手段に蓄積された番組検索のためのキーワードを用いて上記ＥＰＧデータ蓄積手段に蓄積されたＥＰＧデータを検索し、この検索により検出された番組を各キーワードに対する評価情報に基づいて配列した番組表を作成し、表示する情報表示手段から成るものである。
【０００５】
また、利用者が、大量に掲載された番組表より、容易に希望番組を探すことができるようなパーソナル番組表を作成するシステムが公知（特開平１１−３０８５４７号）である。このシステムは、コンピュータは、利用者が希望する番組を示す利用者希望情報と、番組の放送予定が掲載された番組構成情報とを比較して、大量の番組の中から利用者が希望する番組を選定し、選定された番組を明確化した番組表を作成するものである。
【０００６】
【発明が解決しようとする課題】
しかし、上記２件の公知例は、利用者の嗜好や希望を基に番組表を作成するだけであることから、この番組作成は一元的であって、必ずしもその時点で見たい、あるいは時間的に見れる番組だけではないため、作成された番組表の中には、特に興味が無かったり、日程的、時間的に無理な場合も多く、プライベートな番組表としては情報量が多く、絞り込みが不足している。
【０００７】
また、上記特開平１１−１６１６５３号においては、大量の番組の中から利用者が希望する番組を選定して番組表を作成し、これをプリントアウトすると云うだけで、作成した番組表には必ずしも観たい番組だけが掲載されるとは限らない。
【０００８】
また、特開平１１−３０８５４７号においては、利用者の嗜好が番組作成に反映されてはいるが、これも利用者が必ずしも見たい番組だけ、そして利用者の都合（日程）等に合せた番組だけが掲載されているとは限らない。
【０００９】
本発明の目的は、その時点で見たい番組だけを絞り込んでこれを例えば１日あるいは一週間単位、月単位で提供できるプライベートな放送番組表作成システムを提供することである。
【００１０】
【課題を解決するための手段】
上記目的を達成するため、請求項１に記載の発明においては、プライベート番組表作成システムにおいて、テレビジョン、ラジオ等の放送内容について、あらかじめユーザーの好みを登録しておくためのユーザー情報登録手段と、
放送局において番組の編成が行われると、この編成された番組の中から、前記ユーザー情報登録手段に登録されている好みに基づいて該当する番組を選択し、この選択した番組情報をユーザーに提供する番組情報提供手段と、
前記番組情報提供手段から送られて来た番組情報の中から、ユーザーが自身のスケジュール及び好みに応じて番組を選択し、この選択した番組を項目又は日付順に整理して再度最終的なプライベート番組表を作成すると共に、この最終的なプライベート番組表に対して、更にユーザーは、スケジュールを入力することができるプライベート番組表作成手段と、から成ることを特徴とするものである。
【００１１】
【作用】
ユーザーは、自分の好み、例えば映画の場合はドラマ、アクション映画、コメディ映画、アニメーション映画、そして音楽ならばクラシック、歌謡曲、演歌等と云ったジャンルの中から１又は複数のものを選択し、これを個人情報としてユーザー情報登録手段に登録しておくと、放送局では、番組の編成が終り次第、この番組の中から、登録されているユーザーの好みに合った番組表を作成し、これをユーザーに配信する。ユーザーはこの配信された放送局作成の番組表の中から、更に自分が好む番組を選定し、この時自分の日程等も加味して最終の番組表を作成する。この最終の番組表は、放送局側のコンピュータで作成し、これをユーザーに配信しても良い、ユーザー自身が持つコンピュータで作成するようにしてもよい。
【００１２】
【実施例】
番組表は、単一の放送局が自分の局の番組のみを作成する場合と、複数の放送局の番組の中から、プライベートな番組表を作成する場合の双方を含む。したがって、この場合は、プライベート番組表を情報を提供するサービス業者が行う場合もある。
【００１３】
図１は、本発明に係るプライベート放送番組表の作成を実現するためのシステム構成の例である。
１は、ユーザーの好みをあらかじめ登録しておくユーザー情報登録手段であって、このユーザー情報登録手段１には、インターネット回線２を通じて、ユーザーのパソコン３から、ユーザーの好みが登録されている。
【００１４】
４は、放送局内において、番組の編成を行い、管理を行うための番組編成管理手段であって、この番組編成管理手段４内の編成データの入力あるいは更新等は、コンピュータ５から行われる。
【００１５】
６は、番組編成提供手段であって、上記した番組編成管理手段４で編成された番組表をとり込み、ここでユーザーの好みに合った番組表を作成し、これをユーザーに提供する。また、この番組編成提供手段６は、ユーザーから要求があると、更に絞り込んだ番組表を作成し、これをインターネット回線２を経由してユーザーに提供する。
【００１６】
このようにして絞り込まれたプライベート放送番組表は、絞り込まれた内容に基づいて日時あるいはジャンル（項目）別に編成されている。
【００１７】
プライベート放送番組表作成システムは以上の手順で行われるが、更に具体的な例を次に説明する。
１−１  ユーザーの好み登録
先ず、プライベート放送番組表編成センターにインターネット回線２を経由してアクセスすると、パソコン３の画面には、登録する項目が映し出される。この登録項目は次のとおりである。
１  お名前（ニックネーム可）
２  メールアドレス    ３  年齢    ４    性別
【００１８】
５  ご希望のジャンルを選択（複数可）
・映画：  ファーストラン  ドラマ  アクション映画  コメディ映画  サスペンス＆ミステリー映画  恋愛映画  ＳＦ映画  ミュージカル映画  青春映画  ホラー映画  冒険映画  歴史ドラマ  ファンタジー  アダルト  アニメーション映画ドキュメンタリー映画  その他  すべての映画
・音楽    ・スポーツ
・エクストラ：  ＴＶドラマ  ＴＶアニメ  ステージ  ショッピング  情報番組ドキュメンタリー映画
【００１９】
６  設定したいキーワードがある場合は記入してください。（空欄でも可）
キーワードは１０文字以内で１０個まで設定できます。
例：監督名、出演者名、チーム名など
【００２０】
７  最後にご希望のＩＤとパスワードを記入して下さい。
・ご希望のＩＤ  ・ご希望のパスワード
１−２  登録するとＩＤとパスワードを発行
【００２１】
１−３  情報の絞り込み
番組編成提供手段６は、入力した情報をもとに直近８日以内の番組情報の中から該当番組情報を自動的に検索する。この情報の中からさらに情報を絞り込みお気に入りの番組のみ表示する番組表を作成する。この際、簡単なメモを入力することも可能なので、スケジュール帳としての利用もできる。
【００２２】
１−４  ２回目以降
２回目以降はＩＤとパスワードにより、直近８日以内の番組情報の中から該当番組情報を検索し、同様に自分だけの番組表を作成する。
【００２３】
１−５  オプション機能
１  入力した情報をもとに興味のある番組最新情報をメール送信する。
２  放送局のデータベースから興味のある番組の映像、音声のプレビューも可能。
【００２４】
図２は、ユーザーの好みにより番組を選択し、センターからユーザーに送信されて来た番組表の一部の例である。
図３は、ユーザーが絞り込んだジャンル別の番組表の一部の例である。
図４は、ユーザーが絞り込んだ番組を日付順に表示したプライベート放送番組表の一部の例である。
【００２５】
【発明の効果】
本発明は以上のように、ユーザー個人が好む番組だけを抽出した番組表が作成され、これがユーザーに提供されるため、通常の放送番組表を見ながら好みの番組をいちいち選択する手間が省けると共に見落としもしなくなり、便利である。
一方、放送局側からは、ユーザーに好まれる番組の内容や出演者等が判り、番組編成上有効である。
【図面の簡単な説明】
【図１】本発明に係るシステムの説明図。
【図２】ユーザーの好みで作成した番組表の一部の例。
【図３】ユーザーが絞り込んだジャンル別番組表の一部の例。
【図４】ユーザーが絞り込んだ番組を日付順に編成した番組表の一部の例。
【符号の説明】
１  ユーザー情報登録手段
２  インターネット回線
３  ユーザーパソコン
４  番組編成管理手段
５  コンピュータ
６  番組編成提供手段
【図１】
0003952435.tif 000002
【図２】
0003952435.tif 000003
【図３】
0003952435.tif 000004
【図４】
0003952435.tif 000005